(57)【特許請求の範囲】
【請求項１】
階段の昇降方向の階段室壁を有する階段構築位置で、並列して、２つの階段部材を架設して、該階段部材の上下両端を躯体に取付ける階段の構造であって、
前記階段部材の上下を受け、かつ躯体に定着できる上取付金物及び下取付金物を夫々床用型枠に載置して、該上下取付金具に、前記階段部材の上下端を横方向に移動可能に取付けることを特徴とする階段構造。
【請求項２】
階段構築位置で、並列して、２つの階段部材を架設して、該階段部材の上下両端を躯体に取付ける階段の構造であって、
前記階段部材の上下を受け、かつ躯体に定着できる上取付金物及び下取付金物に、前記階段部材の上下端を横方向に移動可能に取付けてなり、
前記取付金物に突設した連結突板の連結孔と、前記階段部材の上下端に突設した連結突板の連結孔とに、摺動自在に連結棒を挿通して、前記取付金物と前記階段部材とを移動可能に取り付けたことを特徴とする階段構造。
【請求項３】
以下の工程をとることを特徴とする階段の構築方法。
(1) 構築予定の階段部材の上端、下端を支持する構築予定の躯体位置に、取付金物を夫々配置して、各取付金物を仮設支持する。
(2) 続いて、前記取付金物間に、２つの階段部材を並列して架設して、両階段部材を近付けて、前記各階段部材の外側にスペースを空けるように配置する。
(3) 前記スペースを利用して、階段室壁の内側の型枠を構築し、また階段室壁の外側の型枠及びその他の躯体用の型枠を構築する。
(4) 前記取付金物を型枠の一部として躯体のコンクリートを打設して、取付金物を躯体に定着する。
(5) 続いて、不要な仮設部材を前記スペースから除去し、前記両階段部材を互いに離れるように移動させ、両階段部材の外側を前記スペースに位置させる。
(6) 所定位置で、階段部材を取付金物に固定する。
【請求項４】
以下の工程をとることを特徴とする階段の構築方法。
(1) 既設階のフロア踊り場の端部に取付金物が埋設されている。
(2) 構築予定の中間踊り場、次階フロア踊り場の床用型枠の端部に、夫々取付金物を載置して、各床用型枠を仮設支持する。
(3) 続いて、既設階フロア踊り場から中間踊り場までの階段部材Ａと、中間踊り場から次階フロア踊り場までの階段部材Ｂとを夫々架設し、前記両階段部材Ａ、Ｂを中央側に近付けて、前記取付金物に取り付け、前記階段部材Ａ、Ｂの外側にスペースを空けるように配置する。
(4) 前記スペースを利用して、階段室壁の内側の型枠を構築し、また階段室壁の外側の型枠及びその他の躯体用の型枠を構築する。
(5) 前記取付金物を床用型枠の一部として、中間踊り場、次階フロア踊り場、他躯体のコンクリートを打設して、前記取付金物を躯体に定着する。
(6) 続いて、不要な仮設部材を前記スペースから除去し、前記階段部材Ａ、Ｂを互いに離れるように外側に移動させ、両階段部材Ａ、Ｂの外側を前記スペース内に位置させる。
(7) 所定位置で、階段部材Ａ、Ｂの上下を取付金物に固定する。
【発明の詳細な説明】
【０００１】
【発明の属する技術分野】
この発明は、階段室壁を有する階段の構築に最適な階段構造及び階段の構築方法に関する。
【０００２】
【従来の技術】
鉄筋コンクリート製の躯体の構築に先立ち、本設の鉄骨階段を取り付けて、仮設階段として工事に利用する工法が各種提案されている。この先付け階段を、鉄骨階段の昇降方向に階段室壁を構築する階段室構造に適用することがあった。
【０００３】
また、階段室壁をコンクリート製とする場合には、階段室壁の内型枠（階段側の型枠）の仮設支持が必要であり、通常は、仮枠として内外の合板の合板に当接する縦タイプ、縦パイプに交叉する横パイプで両合板を挟んで、壁用型枠を仮設支持していた。
【０００４】
この場合、一の方法によれば、鉄骨階段を仮設支持した後、鉄骨階段の外側のささら桁を階段室壁の内型枠の一部として利用して、ささら桁を避けて階段室壁の型枠を組み立てていた。
【０００５】
また、他の方法では、外側のささら桁の外側に、ささら桁とは別に階段室の内型枠を構築する工法も取られていた。
【０００６】
【発明が解決しようとする課題】
前記従来技術の内、前者の場合、一般に、躯体のコンクリートは、階毎に打設する為に、階段室の型枠も階毎の単位で、構築されていた。一方鉄骨階段は、各フロア間に斜めに構築されるため、ささら桁で階段室壁の型枠、縦パイプが分断され、型枠加工、組立が繁雑になる問題点があった。
【０００７】
後者の場合には、ささら桁と内型枠とが干渉せず、型枠の加工に煩雑さが無いが、階段室壁とささら桁の外面との間に、型枠の厚さ及び縦パイプ等の隙間（７．５〜１０ｃｍ程度）を生じ、完成した構造で、外観の見栄えが悪い場合が生じ、また、隙間を通して物が下方へ落下する危険があり、場合によっては隙間を塞ぐ必要もでてくる等対策を講じる必要があった。
【０００８】
【課題を解決するための手段】
然るにこの発明では、階段部材の上下を躯体に取り付ける取付金物に、移動可能に支持したので、前記問題点を解決した。
【０００９】
即ちこの発明は、階段の昇降方向の階段室壁を有する階段構築位置で、並列して、２つの階段部材を架設して、該階段部材の上下両端を躯体に取付ける階段の構造であって、前記階段部材の上下を受け、かつ躯体に定着できる上取付金物及び下取付金物を夫々床用型枠に載置して、該上下取付金具に、前記階段部材の上下端を横方向に移動可能に取付けることを特徴とする階段構造である。また、他の発明は、階段構築位置で、並列して、２つの階段部材を架設して、該階段部材の上下両端を躯体に取付ける階段の構造であって、前記階段部材の上下を受け、かつ躯体に定着できる上取付金物及び下取付金物に、前記階段部材の上下端を横方向に移動可能に取付けてなり、前記取付金物に突設した連結突板の連結孔と、前記階段部材の上下端に突設した連結突板の連結孔とに、摺動自在に連結棒を挿通して、前記取付金物と前記階段部材とを移動可能に取り付けたことを特徴とする階段構造である。
【００１０】
また、構築方法の発明は、以下の工程をとることを特徴とする階段の構築方法である。
【００１１】
(1) 構築予定の階段部材の上端、下端を支持する構築予定の躯体位置に、取付金物を夫々配置して、各取付金物を仮設支持する。
(2) 続いて、前記取付金物間に、２つの階段部材を並列して架設して、両階段部材を近付けて、前記各階段部材の外側にスペースを空けるように配置する。
(3) 前記スペースを利用して、階段室壁の内側の型枠を構築し、また階段室壁の外側の型枠及びその他の躯体用の型枠を構築する。
(4) 前記取付金物を型枠の一部として躯体のコンクリートを打設して、取付金物を躯体に定着する。
(5) 続いて、不要な仮設部材を前記スペースから除去し、前記両階段部材を互いに離れるように移動させ、両階段部材の外側を前記スペースに位置させる。
(6) 所定位置で、階段部材を取付金物に固定する。
【００１２】
また、他の構築方法は、以下の工程をとることを特徴とする階段の構築方法である。
【００１３】
(1) 既設階のフロア踊り場の端部に取付金物が埋設されている。
(2) 構築予定の中間踊り場、次階フロア踊り場の床用型枠の端部に、夫々取付金物を載置して、各床用型枠を仮設支持する。
(3) 続いて、既設階フロア踊り場から中間踊り場までの階段部材Ａと、中間踊り場から次階フロア踊り場までの階段部材Ｂとを夫々架設し、前記両階段部材Ａ、Ｂを中央側に近付けて、前記取付金物に取り付け、前記階段部材Ａ、Ｂの外側にスペースを空けるように配置する。
(4) 前記スペースを利用して、階段室壁の内側の型枠を構築し、また階段室壁の外側の型枠及びその他の躯体用の型枠を構築する。
(5) 前記取付金物を床用型枠の一部として、中間踊り場、次階フロア踊り場、他躯体のコンクリートを打設して、前記取付金物を躯体に定着する。
(6) 続いて、不要な仮設部材を前記スペースから除去し、前記階段部材Ａ、Ｂを互いに離れるように外側に移動させ、両階段部材Ａ、Ｂの外側を前記スペース内に位置させる。
(7) 所定位置で、階段部材Ａ、Ｂの上下を取付金物に固定する。
【００１４】
前記における躯体とは、階段に連続する床スラブであり、フロア踊り場、中間踊り場等を指す。また、中間踊り場が一体となった階段部材では、中間踊り場を支持する階段室壁（昇降方向と直角な方向）も指す。
【００１５】
また、前記における階段部材として主に鉄骨階段を使用するが、階段を構成する材料は問わない。尚、鉄骨階段とは、階段状に並べた所定数の踏板を鋼材からなるささら桁で挟んで構成した階段である。踏板は、鋼材、モルタル・コンクリート系材料、またはこれらの組合せから主に構成するが、踏板の材料は任意である。
【００１６】
また、階段部材は、段部のみの場合が最も有効であるが、フロア踊り場と中間踊り場の一方又は両方を段部と一体に構築した階段部材であっても適用できる。
【００１７】
【発明の実施の形態】
(1) 既設階Ｆ０のフロア踊り場２８端部に取付金物２６が埋設されている（図１４（ａ））。
(2) 構築予定の中間踊り場Ｆ０−１の床用型枠３１の端部、次階フロア踊り場Ｆ１の床用型枠３７の端部に、夫々取付金物２６、２６を載置して、各床用型枠３１、３７を仮設支持する。
(3) 続いて、既設階フロア踊り場２８から中間踊り場３０までの鉄骨階段１０Ａ、中間踊り場３０から次階フロア踊り場３６までの鉄骨階段１０Ｂを夫々、架設し、両鉄骨階段１０Ａ、１０Ｂを中央に近付けた状態で、取付金物２６、２６に取付ける（図１４（ｂ））。従って、鉄骨階段１０Ａ、１０Ｂの外側に本来の階段の端縁より幅Ｄのスペース４２が空く（図４（ｂ））。この状態で、鉄骨階段１０Ａ、１０Ｂは作業用の階段として使用できる。
(4) スペース４２を利用して、階段の昇降方向の階段室壁４４用の内型枠４６を構築し、また階段室壁４４の外型枠４７、及びその他の躯体用の型枠を構築する（図４（ｂ）、図１３（ｂ））。
(5) 取付金物２６、２６を床用型枠３１、３７の一部として、中間踊り場３０、次階フロア踊り場３６、他躯体のコンクリートを打設して、取付金物２６、２６を躯体に定着する（図１４（ｃ）、図１〜図３）。
(6) 続いて、不要な仮設部材をスペース４２から除去すれば、幅Ｄのスペース４２が空く。続いて、鉄骨階段１０Ａ、１０Ｂを互いに離れるように外側に移動させれば、両鉄骨階段１０Ａ、１０Ｂの外側がスペース４２内に位置し、鉄骨階段１０Ａ、１０Ｂの外側のささら桁の外面５は、階段室壁４４の内面４４ａに近接した位置に配置される。
(7) その後、鉄骨階段１０Ａ、１０Ｂのささら桁２、４の上下を取付金物２６の固定板１８、１９に固定して鉄骨階段の１０Ａ、１０Ｂの取付が完了する（図４（ａ）、図１３（ａ）、図１４（ｄ））。
【００１８】
鉄骨階段１０は、２つの鉄骨階段１０が並列した配置となる場合に適用でき、通常は中間踊り場を形成する折り返し形式の階段に適用されるが（図１５（ａ））、直進用の鉄骨階段１０、１０を交叉させた階段にも適用できる（図１５（ｂ））。
【００１９】
また、階段室壁４４、４５を構築するための型枠４６、４７は、一般に合板（いわゆるコンパネ）を使用して、これをパイプ材や角材（いわゆるバタパイプ、バタ角等）を使用して保持する場合に適用される。また、型枠４６、４７は鋼製型枠（メタルフォーム）や樹脂型枠など従来使用される材料を使用することもできる。更に、階段室壁４４、４５を構築後に撤去される仮設の型枠以外に、階段室壁４４、４５と一体に構築される埋込み型枠を使用することもできる。また、これらを混在して使用することもできる。また、型枠４６、４７を支持する構造も任意であり、従来使用される支持構造を採用することができる。
【００２０】
【実施例１】
図面に基づきこの発明の実施例を説明する。階段部材としての鉄骨階段１０は段部のみから構成し、フロア踊り場、中間踊り場を、現場で構築する実施例である。
【００２１】
［１］鉄骨階段１０の構成
【００２２】
所定段数の踏板１、１の両側を、内側のささら桁２及び外側のささら桁４で挟んで、固定し、鉄骨階段１０を構成する。鉄骨階段１０は、基準階のフロア踊り場から上側の中間踊り場までの鉄骨階段１０Ａと、中間踊り場から基準階の上階のフロア踊り場までの鉄骨階段１０Ｂとで、１階分の鉄骨階段を構成する（図１１（ａ）（ｂ））。
【００２３】
ささら桁２、４間であって、踏板１、１の上下端に、踏板１と平行に、端板６、６を夫々架設固定する。各端板６、６の外面（踏板１の有る側の他側）の中央部に、アングル材からなる連結突板７を夫々突設し、連結突板７に横方向の連結孔８を夫々穿設する（図１１（ｃ））。また、ささら桁２、４の上下両端で、前記連結孔８、８と同じ位置付近に、取付用の固定孔９、９を上下２つ穿設する（図１１（ｂ））。
【００２４】
［２］取付金物２６の構成
【００２５】
構築予定の中間踊り場、フロア踊り場の幅に対応した、アングル材から水平の支持板１３と垂直の取付板１５とからなる基材１２を形成する。基材１２の取付板１５に、所定間隔で、透孔を穿設し、取付板１５の外面１６側（支持板１３とは反対側）からナットを螺合したボルトの軸部を透孔に挿入する。ボルトは、その頭部を支持板１３とは反対側に突出させて配置し、その軸部の先端部を、取付板の両側からナットで挟み、螺合緊結して、取付板１５に固定され、アンカー１７を構成する（図１２）。
【００２６】
取付板１５の内面１６ａ側（支持板１３側）に、鉄骨階段１０のささら桁２、４の端部位置に対応して、４枚の固定板１８、１９を突設する。固定板１８、１９は、鉄骨階段１０の最終取付位置に対応した位置に設けられ、最終取付位置で、両端側の２枚の固定板１９、１９は、両鉄骨階段１０の外側のささら桁４の外面５（踏板１が接合された側の反対側）に当接する位置で、中央側の２枚の固定板１８、１８は、両鉄骨階段１０の内側のささら桁２の内面３ａ（踏板１が接合された側）に当接する位置に、夫々固定される。固定板１８、１８には、ささら桁の固定孔９、９に対応した固定孔２０、２０が穿設され、固定孔２０に連通するナット２１が夫々固着されている。尚、外側の固定板１９、１９のナットは袋ナット２２、２２とし、固定板１９の外面に固着されている（図１２（ａ）（ｂ））。
【００２７】
また、取付板１５の内面１６ａに、鉄骨階段１０の連結突板７に対応した位置に、同様にアングル材からなる連結突板２３が、２３固定され、鉄骨階段１０の連結孔８に対応した位置に連結孔２４が夫々穿設されている（図１２（ａ）（ｃ））。
【００２８】
また支持板１３には、床型枠に固定するための釘孔２５、２５が長さ方向で、左右対称に穿設されている（図１２（ａ））。以上のようにして、取付金物２６を構成する（図１２）。
【００２９】
［３］階段の構築方法
【００３０】
（１）  基準階（既設階）Ｆ０では、取付金物２６の一側に下方からの鉄骨階段１０が固定された状態で、コンクリート製のフロア踊り場（床）２８が構築されている（図１〜図３、図１４（ａ））。
【００３１】
（２）  構築予定の中間踊り場階Ｆ０−１（Ｆ０とＦ１の中間階）を構築する為の踊り場用の床型枠３１、次回Ｆ１階のフロア踊り場用の床型枠３７を従来の方法により構築して仮設支持する。この際、例えば床用の型枠３１、３７は、水平に配置した木製角材３３、３３を介して、サポート３４、３４で支持する（図１）。尚、床用型枠３１、３７の支持は上記例に限らず、従来採用される各種の支持構造を適用することができる（図示していない）。
【００３２】
（３）  Ｆ０−１階の床用型枠３１及びＦ１階の床用型枠３７に、予め階段位置に合わせて墨出した位置に合わせて、夫々取付金物２６を固定する（図１４（ｂ））。取付金物２６の固定は、支持板１３の釘孔２５から釘やビス類を床型枠３１、３７に向けて打ち込んで行う。
【００３３】
また、取付金物２６、２６の構築に平行して、あるいは構築後に、構築予定のＦ０−１階に向かう一側の鉄骨階段１０Ａ、及びＦ０−１階からＦ１階に向かう鉄骨階段１０Ｂを配置して、鉄骨階段１０Ａ、１０Ｂの連結突板７、７を取付金物２６、２６の連結突板２３、２３対向させる（図４（ｂ））。
【００３４】
（４）  取付金物２６の連結突板２３の連結孔２４からボルト３９を挿通して、ナット４０、４０を螺合すると共に、鉄骨階段１０Ａ、１０Ｂの連結突板７の連結孔８に挿通して、更にナット２０を螺合する。両鉄骨階段１０Ａ、１０Ｂを最も近付くように中央に寄せた状態で、ナット２０、２０を締めて、鉄骨階段１０Ａ、１０Ｂの連結突板７を夫々挟持して、鉄骨階段１０Ａ、１０Ｂを仮に取付ける（図１４（ｂ））。この状態で、鉄骨階段１０Ａ、１０Ｂは、作業用の階段として使用できる。鉄骨階段１０Ａ、１０Ｂを中央側に寄せたので、本来の鉄骨階段１０Ａ、１０Ｂの設置位置で、鉄骨階段１０Ａ、１０Ｂの外側に幅Ｄ（Ｄ＝７．５〜１０ｃｍ程度）のスペース４２、４２を生じている（図４（ｂ））。
【００３５】
（５）  階段の昇降方向の階段室壁４４の外型枠４７、壁用鉄筋（図示していない）を配筋し、スペース４２、４２内に、壁用内型枠４６を配置する（図１３（ｂ））。両型枠４６、４７を従来使用される方法で固定する。例えば、両壁型枠４６、４７内に配置したセパレータ５３を、フォームタイ５５、３型リブ座（リブ座金）５４を取り付けて、壁型枠４６、４７に沿わせた縦パイプ４９、４９及び縦パイプ４９、４９に交叉した横パイプ５０、５０を固定する（図１３（ｂ））。
【００３６】
この際、内型枠４６の厚さは通常１〜２ｃｍ程度、縦パイプ４９の外径は通常５ｃｍ程度であり、内型枠４６及び縦パイプ４９は、幅Ｄのスペース４２内に配置される。従って、内型枠４６及び縦パイプ４９は、鉄骨階段１０Ａ、１０Ｂと干渉することなく、Ｆ０階からＦ１階まで分断されることなく構築できる。尚、横パイプ５０、５０は適宜間隔で使用すれば良いので、平面視で、スペース４２の外側に配置されてもよい。
【００３７】
また、この際、フロア踊り場の床用型枠３１、中間踊り場の床用型枠３７と共に、取付金物２６、２６を仮設支持すれば、鉄骨階段１０Ａ、１０Ｂを支持するための仮設物を不要にできる（図１）。
【００３８】
（６）  階段室壁以外の型枠、鉄筋も従来の各種の方法により構築する。その後、床用型枠３１、３７、壁用型枠４６、４７を初めとした型枠内に、コンクリートを打設して、中間踊り場３０、フロア踊り場３６、階段室壁４４を初めとして、Ｆ０〜Ｆ１の躯体を構築する（図１、図８、図１４（ｃ））。
【００３９】
この際、中間踊り場３０、Ｆ１階のフロア踊り場３６では、取付金物２６の取付板１５が、堰板として機能して、型枠の一部となる。
【００４０】
（７）  コンクリートが固化発現後、仮支持の型枠３１、３６等の部材を取り外す。中間踊り場３０、フロア踊り場３６では、取付金物２６が、アンカー１７が埋設されるので、一体に構築される。また、取付金物２６は打ち込み型枠として残置され、コンクリート製のフロア踊り場３６、中間踊り場３０の端部が取付金物で補強される。また、前記取付金物２６から下方に突出した釘は、従来の方法により切断する。
【００４１】
また、ここで、階段室壁４４の内型枠４６、縦パイプ４９等を除去したので、後に幅Ｄのスペース４２が空く。
【００４２】
（８）  続いて、階段室壁４４の内面の必要な処理が完了したならば、連結突板２３、７に螺合されたボルト３９のナット４０、４０を緩めて、手動等により鉄骨階段１０Ａ、１０Ｂを外側（階段室壁４４側）に、両鉄骨階段１０Ａ、１０Ｂが離れるように平行移動させる。鉄骨階段１０Ａ、１０Ｂの連結突板７の連結孔８にボルト３９が挿入された状態で、摺動する。鉄骨階段１０Ａ、１０Ｂのささら桁２、４が、取付金物２６の固定板１８、１９に夫々当接した状態で、鉄骨階段１０Ａ、１０Ｂは所定位置に配置され、幅Ｄのスペース４２は、鉄骨階段１０Ａ、１０Ｂの外側で占められる。尚、鉄骨階段１０Ａ、１０Ｂの移動は、平行移動することが望ましいが、上端側又は下端側のいずれか一方を先に移動させて、続いて他方を移動させることもできる。
【００４３】
この状態で、ボルト３９に螺合したナット４０、４０を締めて、ナット４０、４０で、鉄骨階段１０Ａ、１０Ｂの連結突板７、７を挟持して固定する。また、内側（中央側）のささら桁２、２の固定孔９と、取付金物２６の内側の固定板１８、１８の固定孔２０とが連通しているので、これにボルトを挿通してナット２１に螺合緊結する。また、外側（階段室壁４４側）のささら桁４、４でも固定孔９と取付金物２６の外側の固定板１９の固定孔２０とが連通しているので、これにボルトを挿通して取付金物２６の袋ナット２２に螺合緊結する。
【００４４】
以上のようにして、鉄骨階段１０Ａ、１０Ｂを、取付金物２６、２６への取付が完了する（図１４（ｄ））。階段室壁４４の内面４４ａと外側のささら桁４の外面５とは、ほぼ隙間なく配置することができる（図２、図３、図４（ａ）、図１３（ａ））。図中４５は、平面で、階段の昇降方法と直角な方向の階段室壁である。
【００４５】
（９）  続いて、鉄骨階段１０Ａ、１０Ｂの内側のささら桁２、２の外面３、３間で、端板６、６に連続する位置に、塞ぎ板５１を固定し、取付金物２６の支持板１３上（取付板１５と、端板６及び塞ぎ板５１との間）にモルタル５２を充填すると共に、これに連続してフロア踊り場３６、中間踊り場３０の上をモルタル５２で仕上げる。固定板１８、１９、連結突板７、２３などは、モルタル５２に埋設されるので、保護されると共に、外からこれらが見えないので、見栄えがよい（図５〜図７、図９、図１０）。
【００４６】
（１０）  尚、前記において、フロア踊り場３６、中間踊り場３０のコンクリートが固化発現した状態で、Ｆ１階から次々回Ｆ２階に向けた作業を、前記同様に進めることができる。
【００４７】
（１１）  以上で、鉄骨階段１０Ａ、１０Ｂの構築が完了する（図１、図２、３）。
【００４８】
［４］他の実施例
【００４９】
（１）  前記において、鉄骨階段１０の移動を案内する手段として、連結突板とこれに螺合したボルト及びナットを使用したので、作業効率が良いが、他の方法をとることもできる。即ち、取付金物又は鉄骨階段の端板の一方に横方向のレールを取り付け、他方に、レール上を移動できる車輪を取り付けて構成することもできる。
【００５０】
（２）  また、前記実施例において、取付金物２６のアンカー１７はボルトから構成したので、加工容易で短い長さで必要な定着長さを確保できるので好ましいが、コンクリート製の踊り場３０、３６内に埋設されて、定着できる構造であれば、鉄筋など他の形状により構成することもできる（図示していない）。
【００５１】
（３）  また、前記実施例において、取付金物２６は、取付板１５の外面１６にアンカー１７を、内面１６ａに固定板１８、１９、連結突板２３を突設したが、逆に取付板１５の内面１６ａにアンカー１７を、外面１６に固定板１８、１９、連結突板２３を突設して構成することもできる（図示していない）。
【００５２】
（４）  また、前記実施例において、スペース４２の幅Ｄは、少なくとも階段室壁用の内型枠４６、縦パイプ４９が収容できる幅が確保できれば良い。即ち、作業効率上はできるだけ広い方が望ましいが、鉄骨階段１０の移動距離をできるだけ短くしたほうが、施工が容易であり、これと比較検討して決定される。
【００５３】
（５）  また、前記実施例では、段部のみから構成したが、中間踊り場部１１も一体に構成したささら桁２、４を使用した鉄骨階段１１を使用することもできる（図１６）。この場合には、取付金物２６のアンカー１７は、先端部を壁に沿って屈曲した形状に形成する。
【００５４】
即ち、架設した中間踊り場部１１を有する鉄骨階段１１を前記方法と同様に、架設して、所定位置に配置した取付金物２６に連結する（図１６（ａ））。尚、この実施例では、取付金物は、平面視で昇降方向に直交する方向の階段室壁４５の内面付近に配置される。また、中間踊り場の型枠３１が省略されるので、鉄骨階段の中間踊り場部１１、取付金物２６のいずれか一方又は両方をサポート類で下方から支持する（図示していない）。尚、鉄骨階段１０と取付金物２６の固定は、前記同様に、連結突板７と連結突板２３とをボルト３９、ナット４０、４０で固定する（図４（ｂ））。
【００５５】
続いて、階段室壁４５用の内型枠４６、外型枠４７を所定間隔で配置し、縦パイプ４９及び横パイプ５０で押さえると共に、セパレータ５３、フォームタイ５５、３型リブ座５４で全体を保持する（図１６（ａ））。
【００５６】
また、鉄骨階段１０は、前記同様に内側に寄せてあり、昇降方向の階段室壁４４側に、スペース４２が形成され、同様に、階段室壁４４用の型枠４６、４７が構築される（図４（ｂ）、図１３（ｂ））。続いて、その他の躯体用型枠を構築した後に、前記同様にコンクリートを打設する。コンクリートが固化発現後に型枠４６、４７や３型リブ座５４他、サポート類を撤去する。
【００５７】
階段室壁４４側で、型枠４６、４７を撤去した後に、幅Ｄのスペース４２が空くので、前記同様に、中間踊り場部１１を有する鉄骨階段１０、１０を互いが離れるように外側向けて移動させる。
【００５８】
以上のようにして、鉄骨階段１０と階段室壁４４、４５とがほぼ隙間なく、近接した状態で配置される（図４（ａ）、図１３（ａ）、図１６（ｂ））。この状態で、前記同様に、ささら桁２、４と、取付金物２６の固定板１８、１９とを、ボルトで固定して、鉄骨階段１０の取付が完了する。
【００５９】
【発明の効果】
この発明は、上下に配置した取付金物に、階段部材の上下を横方向に移動自在に取り付けたので、並列した階段部材を中央に寄せて階段室壁を構築して、その後、階段部材を離れるように横に移動させることができ、仮設した階段部材が干渉せず、支障無く階段室壁を構築できる効果がある。更に、階段部材の外側を階段室壁に近接した位置に配置できるので、階段室壁と階段部材とに隙間がなく、安全で見栄えの良い階段を構成できる効果がある。
【図面の簡単な説明】
【図１】この発明の実施例の構築途中の階段の縦断面図である。
【図２】同じくＦ０階の横断面図である。
【図３】同じくＦ１階の横断面図である。
【図４】中間踊り場Ｆ０−１階の拡大横断面図で、（ａ）は階段移動後、（ｂ）は階段移動前を夫々表す。
【図５】図２のＡ−Ａ線における拡大断面図である。
【図６】図２のＢ−Ｂ線における拡大断面図である。
【図７】図２のＣ−Ｃ線における拡大断面図である。
【図８】図２のＤ−Ｄ線における拡大断面図である。
【図９】図２のＥ−Ｅ線における拡大断面図である。
【図１０】図２のＦ−Ｆ線における拡大断面図である。
【図１１】（ａ）は、この発明の実施例に使用する鉄骨階段の平面図、（ｂ）は（ａ）のＧ−Ｇ線における拡大断面図、（ｃ）は（ａ）のＨ−Ｈ線における拡大断面図である。
【図１２】（ａ）は、この発明の実施例に使用する取付金物の平面図、（ｂ）は（ａ）のＪ−Ｊ線における断面図、（ｃ）は（ａ）のＫ−Ｋ線における断面図である。
【図１３】（ａ）は図４のＬ部分の拡大図、（ｂ）は図４のＭ部分の拡大図である。
【図１４】（ａ）〜（ｄ）は、この発明の構築方法を説明する概略した縦断面図である。
【図１５】（ａ）（ｂ）は、この発明の実施例の鉄骨階段の構成を表す概略した平面図と側面図である。
【図１６】この発明の他の鉄骨階段を使用した実施例の一部縦断面図で、（ａ）壁用型枠を構築した状態、（ｂ）は、壁用型枠を取り外した状態、を夫々表す。
【符号の説明】
１    踏板
２    ささら桁（内側）
３    ささら桁２の外面
３ａ  ささら桁２の内面
４    ささら桁（外側）
５    ささら桁４の外面
５ａ  ささら桁４の内面
６    端板
７    連結突板
８    連結孔
９    固定孔
１０  鉄骨階段（階段部材）
１１  鉄骨階段の中間踊り場部
１３  支持板
１５  取付板
１６  取付板の外面
１６ａ  取付板の内面
１７  アンカー
１８  固定板
１９  固定板
２０  固定孔
２３  連結突板
２４  連結孔
２６  取付金物
２８  既設階Ｆ０のフロア踊り場
３０  中間踊り場Ｆ０−１
３１  中間踊り場の床用型枠
３６  次階Ｆ１のフロア踊り場
３７  Ｆ１の床用型枠
３９  ボルト（連結棒）
４０  ナット
４２  スペース
４４  階段室壁（昇降方向）
４５  階段室壁（昇降方向と直角な方向）
４６  階段室壁用内型枠
４７  階段室壁用外型枠
４９  縦パイプ
５０  横パイプ
５１  塞ぎ板
５２  モルタル
【図１】
0004016130.tif 000002
【図２】
0004016130.tif 000003
【図３】
0004016130.tif 000004
【図４】
0004016130.tif 000005
【図５】
0004016130.tif 000006
【図６】
0004016130.tif 000007
【図７】
0004016130.tif 000008
【図８】
0004016130.tif 000009
【図９】
0004016130.tif 000010
【図１０】
0004016130.tif 000011
【図１１】
0004016130.tif 000012
【図１２】
0004016130.tif 000013
【図１３】
0004016130.tif 000014
【図１４】
0004016130.tif 000015
【図１５】
0004016130.tif 000016
【図１６】
0004016130.tif 000017